(57)【要約】【課題】大谷石の素材から天然石の質感を活かし、和風感の漂う造形物として、入浴者に安らぎを与えることができる大谷石を素材とした浴槽を提供する。【解決決手段】露天採掘または地下採掘により、大谷石を所要の大きさの立方体または直方体に切り出して浴槽本体１を形成し、該浴槽本体１の上面１ａから底面１ｂに向けて周縁より所要の幅員２を存して所要深さの湯船３を刻設し、かつ該湯船３の底部適所に形成した排水口４に栓体５を着脱自在に装着すると共に、上記浴槽本体１の底面１ｂを周縁より所要の幅員２を存して底上げ状に形成し、底上げした底面１ｂ´全域に湯船３内の浴湯を入浴に適した浴湯に保温する保温装置８を設けた。【選択図】  図４
2004187924.tif 000002
【特許請求の範囲】
【請求項１】
露天採掘または地下採掘により、大谷石を所要の大きさの立方体または直方体に切り出して浴槽本体を形成し、該浴槽本体の上面から底面に向けて周縁より所要の幅員を存して所要深さの湯船を刻設し、かつ該湯船の底部適所に形成した排水口に栓体を着脱自在に装着すると共に、上記浴槽本体の底面を周縁より所要の幅員を存して底上げ状に形成し、該底上げした底面に湯船内の浴湯を入浴に適した浴湯に保温する保温装置を設けたことを特徴とする大谷石を素材とした浴槽。
【請求項２】
保温装置は、底上げした浴槽本体の底面全域に刻設した所要条の溝内に埋設支持した電熱ヒータ、または上記溝内に埋設支持したパイプ内に加熱したオイルを循環させるオイルヒータによって構成されていることを特徴とする請求項１記載の大谷石を素材とした浴槽。
【発明の詳細な説明】
【０００１】
【発明の属する技術分野】
本発明は、大谷石を素材とした浴槽に係り、詳しくは、浴槽が人造石には見られない大谷石独特の心温まる風合い、天然石の質感、重量感からくる落ち着いた気品を漂わせながら、入浴者の疲れた体を浴湯が優しく包んで心を癒すことができると共に、常に湯船内の浴湯を入浴に適した浴湯に保温して、何時でも最良の状態で入浴することができる大谷石を素材とした浴槽に関するものである。
【０００２】
【従来の技術】
大谷石は、約２０００年前、海底火山の活動で噴出した火山灰が海水中に埋積して形成されたもので、地質岩石学では「流紋岩質溶結凝灰岩」といわれ、その化学的成分は珪酸塩（ゼオライト）で、具体的には多量の浮石質硝子、長石と、少量の黒雲母、角閃岩、輝石等で構成され、物理的性質は多孔質で耐火、耐震、耐湿性に優れているうえ、吸着、脱臭効果があることから、従来では主として建築用材、土木用材に使用されていた。
【０００３】
ところが、近年大谷石の貼石工法の発達、接着剤、モルタル混合剤の開発、更には風化防止剤の出現等により、薄物石材が生産され、装飾用材としての用途が拡大されるに至ったが、大谷石を素材とした浴槽は未だ開発されていないのが実状である。
【０００４】
【発明が解決しようとする課題】
本発明は上記のような実状に鑑み、大谷石に対する既成概念を見直し、新しい構想に基づいて創案されたものであって、その意図するところは、大谷石の素材から天然石の質感と特性を活かし、和風感の漂う造形物として、入浴者に安らぎを与えることができる大谷石を素材とした浴槽を提供することを課題とするものである。
【０００５】
【課題を解決するための手段】
課題を解決するため本発明が採用した第１の技術的手段は、露天採掘または地下採掘により、大谷石を所要の大きさの立方体または直方体に切り出して浴槽本体を形成し、該浴槽本体の上面から底面に向けて周縁より所要の幅員を存して所要深さの湯船を刻設し、かつ該湯船の底部適所に形成した排水口に栓体を着脱自在に装着すると共に、上記浴槽本体の底面を周縁より所要の幅員を存して底上げ状に形成し、該底上げした底面に湯船内の浴湯を入浴に適した浴湯に保温する保温装置を設けたことを特徴とするものである。
【０００６】
本発明が採用した第２の技術的手段は、保温装置は、底上げした浴槽本体の底面全域に刻設した所要条の溝内に埋設支持した電熱ヒータ、または上記溝内に埋設支持したパイプ内に加熱したオイルを循環させるオイルヒータによって構成されていることを特徴とするものである。
【０００７】
【発明の実施の形態】
本発明の実施の形態を添付図面に基づいて詳細に説明する。図１は浴槽の全体斜視図、図２は同上全体平面図、図３は同上全体底面図、図４は図２のＡ−Ａ線断面図、図５は浴槽を浴室に装備した状態を示す全体斜視図である。
【０００８】
上記図において、１は露点採掘または地下採掘によって、大谷石を所要の大きさの直方体に切り出して形成した浴槽本体であって、該浴槽本体１には上面１ａから底面１ｂに向けて周縁より所要の幅員２を存して入浴に適した所要深さの湯船３が刻設されている。該湯船３の底部適所には下水溝に連通する排水口４が設けられており、該排水口４には硬質ゴム等の栓体５が着脱自在に装着されている。
なお、上記実施例では浴槽本体１の全体形状について、直方体に形成したものを示したが、これに限定されるものではなく、立方体のものであってもよい。
【０００９】
また、大谷石は採掘現場の相違により、いわゆる「みそ」と呼ばれるモンモリサイトの粘度鉱物（茶色）、ピンホールが比較的に多く含み、かつ基本色が採石時のライトグリーンから経時的にライトベージュ系に変色する大谷戸室石と、「みそ」、ピンホールが比較的に少なく、かつ色調が白味がかったエメラルドグリーン系の田下石とがあるが、本発明に係る浴槽本体１の素材はどちらでも良い。
【００１０】
上記浴槽本体１の底面１ｂは、その周縁より所要の幅員２を存して底上げ状に形成されており、該底上げ底面１ｂ´の全域には所要数条の長溝６が長手方向に所定間隔を存して並設され、該長溝６内には電源に接続される電熱線（ニクロム線）７が埋設支持されて、湯船３内の浴湯を常に入浴に適した浴湯に保温できる保温装置８が構成されている。この場合、電源にサーモスタット（温度自動調整装置）を設けて、浴湯の温度を自動的に調整しても良い。
なお、上記実施例では電源ヒータからなる保温装置８を図示説明したが、これに限定されるものではなく、長溝６内にパイプを埋設支持し、該パイプ内に加熱したオイルを循環させるオイルヒータからなる保温装置８でも良い。この場合、加熱源にタイマーを設けて浴湯の温度を自動的に制御しても良い。９は浴槽本体１の四周壁１ｃの下端部に形成した通気孔である。
【００１１】
叙上のように構成された浴槽において、いま、混合栓からなる蛇口１０から浴湯を湯船３内に満たして入浴すると、大谷石の肌ざわり感と、浴湯が疲れた体を優しく包んでくれるので、近代文明の殺伐とした日常生活の”渇き”から開放され、自然の豊かさと安らぎを味わうことができる。
【００１２】
そのうえ、大谷石の主成分である珪酸塩（ゼオライト）は、吸着性、脱臭性、陽イオン交換性を有する多孔質鉱物であることから、入浴者の体から排出して浴湯に浮遊する垢や不純物は湯船３の周壁に形成されたピンホールに吸着されると共に、汗も脱臭され、アンモニウムイオンも除去されて浴湯が浄化されるので、入浴者に浴湯の清潔感を与え、爽快な気分で入浴することができる。
【００１３】
しかも、浴槽本体１の底部には、大谷石の優れた耐火性を利用して浴湯の保温装置８が設けられているうえ、浴槽本体１への伝導熱は放熱しにくいので、入浴を所望する人は何時でも入浴に適した最良の状態で入浴することができ、落ち着いた気分で心と体を癒すことができる。
【００１４】
【発明の効果】
これを要するに本発明は、露天採掘または地下採掘により、大谷石を所要の大きさの立方体または直方体に切り出して浴槽本体を形成し、該浴槽本体の上面から底面に向けて周縁より所要の幅員を存して所要深さの湯船を刻設し、かつ該湯船の底部適所に形成した排水口に栓体を着脱自在に装着すると共に、上記浴槽本体の底面を周縁より所要の幅員を存して底上げ状に形成し、該底上げした底面に湯船内の浴湯を入浴に適した浴湯に保温する保温装置を設けたから、人造石には見られない大谷石独特の心温まる風合い、天然石の質感、重量感からくる落ち着いた気品を漂わせながら、入浴者の疲れた体を浴湯が優しく包み、近代文明の殺伐とした日常生活の”渇き”から開放して安らぎを与え、心と体を癒すことができる。
【００１５】
入浴者の体から排出して浴湯に浮遊する垢や不純物は大谷石の吸着作用におり湯船の周壁に形成されているピンホールに吸着され、汗も脱臭作用により脱臭されるうえ、陽イオン交換作用により浴湯中のアンモニウムイオンも除去されて浴湯が浄化されるので、入浴者は清潔感をもって爽快な気分で入浴することができる。
【００１６】
更に湯船内の浴湯は、浴槽本体の底部に設けた保温装置により、常に入浴に適した欲湯に保温されているので、何時でも最良の状態で入浴できる。
【図面の簡単な説明】
【図１】浴槽の全体斜視図である。
【図２】浴槽の全体平面図である。
【図３】浴槽の全体底面図である。
【図４】図２のＡ−Ａ線断面図である。
【図５】浴槽を浴室に装備した状態を示す全体斜視図である。
【符号の説明】
１      浴槽本体
１ａ    上面
１ｂ    底面
１ｂ´  底上げした底面
１ｃ    四周壁
２      幅員
３      湯船
４      排出口
５      栓体
６      長溝
７      電熱線
８      保温装置
９      通気口
１０    混合栓からなる蛇口
【図１】
2004187924.tif 000003
【図２】
2004187924.tif 000004
【図３】
2004187924.tif 000005
【図４】
2004187924.tif 000006
【図５】
2004187924.tif 000007